(57)【要約】【課題】支柱体を地上に雪から保護すべき花木等に近接して立設し、上端部に基体を取付け、挿通筒体に複数個の脚杆体を挿通して複数個の脚杆体を地上に斜め放射状に環状配列し、相対向する複数対の脚杆体の中程部間に横杆体を支持具により架設し、複数個の脚杆体を支柱として雪から保護するための覆体を配設することになり、耐降雪荷重等の雪囲い性を高めることができる。【解決手段】複数個の脚杆体１及び脚杆体を地上Ｇに立設支持可能な支持機構３を備えてなり、支持機構は、地上に立設された支柱体４と、支柱体の上端部に設けられた基体５と、基体に設けられ、複数個の脚杆体を上下移動自在に挿通可能な挿通筒体６と、相対向する複数対の脚杆体の中程部間に架設される横杆体７と、横杆体の端部と脚杆体の外周面１ａとが対向する状態で横杆体を脚杆体に支持可能な支持具８とからなる。【選択図】図１
0003128022.tif 000002
【実用新案登録請求の範囲】
【請求項１】
花木等を雪から保護するための覆体の支柱となる複数個の脚杆体及び該脚杆体を地上に立設支持可能な支持機構を備えてなり、上記支持機構は、上記地上に立設された支柱体と、上記支柱体の上端部に設けられた基体と、該基体に設けられ、上記複数個の脚杆体を斜め放射状に環状配列するために該複数個の脚杆体を上下移動自在に挿通可能な挿通筒体と、該複数個の脚杆体のうち、相対向する複数対の脚杆体の中程部間に架設される横杆体と、該横杆体の端部と該脚杆体との間に設けられ、該横杆体の端部と該脚杆体の外周面とが対向する状態で該横杆体を該脚杆体に支持可能な支持具とからなることを特徴とする雪囲い。
【請求項２】
上記支持具は上記横杆体に取付可能な取付部及び上記脚杆体の外周面を支持可能な支持部からなることを特徴とする請求項１記載の雪囲い。
【考案の詳細な説明】
【技術分野】
【０００１】
本考案は例えば庭木、草花、農作物等を雪から保護する際に用いられる雪囲いに関するものである。
【背景技術】
【０００２】
従来、この種の雪囲いとして、花木等を雪から保護するための覆体の支柱となる複数個の脚杆体及び複数個の脚杆体を環状配列するために複数個の脚杆体を上下移動自在に挿通可能な挿通筒体とからなる構造のものが知られている。
【特許文献１】実用新案登録第３１１７１１２号公報
【考案の開示】
【考案が解決しようとする課題】
【０００３】
しかしながら、これら従来構造の場合、上記複数個の脚杆体を環状に配列するための挿通筒体は複数個の脚杆体により支持される構造であるから、降雪量の増大に伴う降雪耐荷重や風雨に対する構築強度が低いことがあるという不都合を有している。
【課題を解決するための手段】
【０００４】
本考案はこれらの不都合を解決することを目的とするもので、本考案のうちで、請求項１記載の考案にあっては、花木等を雪から保護するための覆体の支柱となる複数個の脚杆体及び該脚杆体を地上に立設支持可能な支持機構を備えてなり、上記支持機構は、上記地上に立設された支柱体と、該支柱体の上端部に設けられた基体と、該基体に設けられ、上記複数個の脚杆体を斜め放射状に環状配列するために該複数個の脚杆体を上下移動自在に挿通可能な挿通筒体と、該複数個の脚杆体のうち、相対向する複数対の脚杆体の中程部間に架設される横杆体と、該横杆体の端部と該脚杆体との間に設けられ、該横杆体の端部と該脚杆体の外周面とが対向する状態で該横杆体を該脚杆体に支持可能な支持具とからなることを特徴とする雪囲いにある。
【０００５】
又、請求項２記載の考案にあっては、上記支持具は上記横杆体に取付可能な取付部及び上記脚杆体の外周面を支持可能な支持部からなることを特徴とするものである。
【考案の効果】
【０００６】
本考案は上述の如く、請求項１記載の考案にあっては、支持機構としての支柱体を地上に雪から保護すべき花木等に近接して立設し、支柱体の上端部に基体を取付け、基体に設けられた挿通筒体に複数個の脚杆体を挿通して複数個の脚杆体を地上に斜め放射状に環状配列し、この複数個の脚杆体のうち、相対向する複数対の脚杆体の中程部間に横杆体を支持具により架設し、複数個の脚杆体を支柱として雪から保護するための覆体を配設することになり、このため、降雪や風雨により脚杆体や基体に外力が掛かっても、地上から立設された支柱体の存在及び横杆体の存在により花木等を雪から保護するための覆体の支柱となる各脚杆体を確実に保持することができ、かつ、横杆体は脚杆体に横杆体の端部と脚杆体の外周面とが対向する状態で支持されているので、脚杆体からなる構築体の構築強度を高めることができ、耐降雪荷重等の雪囲い性を高めることができる。
【０００７】
又、請求項２記載の考案にあっては、上記支持具は上記横杆体に取付可能な取付部及び上記脚杆体の外周面を支持可能な支持部からなるので、横杆体の端部を脚杆体に容易に支持することができる。
【考案を実施するための最良の形態】
【０００８】
図１乃至図７は本考案の実施の形態例を示し、図１乃至図６は第一形態例、図７は第二形態例である。
【０００９】
図１乃至図６の第一形態例において、１は脚杆体であって、この場合、四本の木材柱からなり、花木等Ｆを雪から保護するための覆体２の支柱となり、各脚杆体１・・は支持機構３により地上Ｇに立設支持される。尚、脚杆体１は鋼管等の他の材質のものを用いることもできる。
【００１０】
この場合、上記支持機構３は、上記地上Ｇに立設された支柱体４と、支柱体４の上端部に被嵌状態に設けられた基体５と、基体５に設けられ、複数個の脚杆体４を環状配列するために複数個の脚杆体１を上下移動自在に挿通可能な挿通筒体６と、複数個の脚杆体１のうち、相対向する複数対の脚杆体１の中程部間に架設される横杆体７と、横杆体７の端部と脚杆体１との間に設けられ、横杆体７の端部７ａと脚杆体１の外周面１ａとが対向する状態で横杆体７を脚杆体１に支持可能な支持具８とからなる。
【００１１】
この場合、上記横杆体７は木材角柱からなり、上記基体５に４個の連結片５ａを四等配上に放射状に突設し、四個の挿通筒体６に連結片６ａを突設し、連結片５ａと連結片６ａとを枢軸Ｍにより枢着し、枢軸Ｍを中心として挿通筒体６を傾斜角度調節自在に設けている。尚、横杆体７は鋼管等の他の材質のものを用いることもできる。
【００１２】
この場合、上記支持具８は金属製にして、横杆体７にネジや釘などの止め材Ｋが挿通可能な長穴Ｎをもつ取付部８ａ及び脚杆体１の外周面を支持可能な支持部８ｂからなり、横杆体７に取付部８ａを長穴Ｎ及び止め材Ｋにより突出位置調節自在に取付け、引掛部８ｂに脚杆体１を引掛支持するように構成している。
【００１３】
この場合、上記覆体２として、上記隣り合う脚杆体１・１の外面に横板２ａを上下多段状に釘等により取付け、横板２ａに縦板２ｂを並列状に釘等により取付けて構成している。尚、覆体２は、脚杆体１を支柱として、板材、棒材、ネット体等の部材により種々構築されるものである。
【００１４】
この実施の第一形態例は上記構成であるから、支持機構２としての支柱体４を地上Ｇに雪から保護すべき花木等Ｆに近接して立設し、支柱体４の上端部に基体５を取付け、基体５に設けられた挿通筒体６に複数個の脚杆体４を挿通して複数個の脚杆体１を地上Ｇに斜め放射状に環状配列し、この複数個の脚杆体１のうち、相対向する複数対の脚杆体１の中程部間に横杆体７を支持具８により架設し、複数個の脚杆体１を支柱として雪から保護するための覆体２を配設することになり、このため、降雪により脚杆体１や基体５に外力が掛かっても、地上Ｇから立設された支柱体４の存在及び横杆体７の存在により花木等Ｆを雪から保護するための覆体２の支柱となる各脚杆体１を確実に保持することができ、かつ、横杆体７は脚杆体１に横杆体７の端部７ａと脚杆体１の外周面１ａとが対向する状態で支持されているので、脚杆体１からなる構築体の構築強度を高めることができ、耐降雪荷重等の雪囲い性を高めることができる。
【００１５】
この場合、上記支持具８は上記横杆体７に取付可能な取付部８ａ及び上記脚杆体１の外周面を支持可能な支持部８ｂからなるので、横杆体７の端部を脚杆体１に容易に支持することができる。
【００１６】
図７の第二形態例は上記支柱体４の別例構造を示し、この場合、支柱体４の下端部に接地板材９を取付け、接地板材９に花木等Ｆの逃げ溝部９ａを形成して構成している。
【００１７】
この第二形態例にあっては、上記第一形態例と同様な作用効果を得ることができると共に、上記第一形態例の場合、支柱体４の下端部を地中に打ち込む構造となっているのに対し、この第二形態例にあっては、支柱体４の下端部に接地板材９を取付け、接地板材９に花木等Ｆの逃げ溝部９ａを形成しているので、支柱体４を地中に打ち込むことが無くなり、かつ、逃げ溝部９ａの存在により花木等Ｆの根を傷めることなく、支柱体１を地上に立設することができる。
【００１８】
尚、本考案は上記実施の形態例に限られるものではなく、例えば、脚杆体１の数や材質、覆体２、支柱体４、基体５、挿通筒体６、横杆体７、支持具８の構造等は適宜変更して設計され、又、覆体２の構築部材として、板材、ネット網状体、その他の部材が用いられるものである。
【００１９】
以上、所期の目的を充分達成することができる。
【図面の簡単な説明】
【００２０】
【図１】本考案の実施の第一形態例の全体斜視図である。
【図２】本考案の実施の第一形態例の覆体を除いた斜視図である。
【図３】本考案の実施の第一形態例の部分拡大平断面図である。
【図４】本考案の実施の第一形態例の部分縦断面図である。
【図５】本考案の実施の第一形態例の部分側断面図である。
【図６】本考案の実施の第一形態例の部分斜視図である。
【図７】本考案の実施の第二形態例の覆体を除いた斜視図である。
【符号の説明】
【００２１】
１    脚杆体
１ａ    外周面
２    覆体
３    支持機構
４    支柱体
５    基体
６    挿通筒体
７    横杆体
７ａ    端部
８    支持具
【図１】
0003128022.tif 000003
【図２】
0003128022.tif 000004
【図３】
0003128022.tif 000005
【図４】
0003128022.tif 000006
【図５】
0003128022.tif 000007
【図６】
0003128022.tif 000008
【図７】
0003128022.tif 000009